(57)【要約】      （修正有）【課題】鋼管杭と格点ブロックの芯ずれの調整が容易で、鋼管杭と格点ブロックとの間にモルタル又はコンクリートを充填する際に両者が相対移動するおそれのない道路等の人工地盤及びその構築方法の提供。【解決手段】地盤Ｇに打設される鋼管杭１と、外径が鋼管杭１の外径より大径で周壁の水平方向に調整手段１７，１８を備え、上部内側に仮受部１３が設けられた外管１１、及び外管１１の上部外周に取り付けられた仕口部材２０からなる格点ブロック１０とを有し、格点ブロック１０を鋼管杭１の上部に嵌合して仮受部１３を鋼管杭１の杭頭部に当接させ、調整手段１７，１８により格点ブロック１０の水平方向の位置を調整すると共に、仮固定ボルト１８により格点ブロック１０を鋼管杭１に仮固定して、鋼管杭１と格点ブロック１０の外管１１との間にモルタル又はコンクリート３１を充填し、格点ブロック１０の仕口部材２０に桁部材を接合する。【選択図】図１
2011117274.tif 000002
【特許請求の範囲】
【請求項１】
地盤に打設される鋼管杭と、外径が前記鋼管杭の外径より大径で周壁の水平方向に調整手段を備え、上部内側に仮受部が設けられた外管、及び該外管の上部外周に取り付けられた仕口部材からなる格点ブロックとを有し、
該格点ブロックを前記鋼管杭の上部に嵌合して前記仮受部を該鋼管杭の杭頭部に当接させ、前記調整手段により前記格点ブロックの水平方向の位置を調整すると共に、該調整手段により前記格点ブロックを鋼管杭に仮固定して、該鋼管杭と前記格点ブロックの外管との間にモルタル又はコンクリートを充填し、
前記格点ブロックの仕口部材に桁部材を接合して相互に連結することを特徴とする道路等の人工地盤。
【請求項２】
前記格点ブロックの外管に設けた調整手段を、前記外管の周壁の上下において周方向にほぼ等間隔に設けた複数のボルト挿通穴と、該ボルト挿通穴の内壁側に固定されたナットと、前記ボルト挿通穴に挿通されてナットに螺入される仮固定ボルトとによって構成したことを特徴とする請求項１記載の道路等の人工地盤。
【請求項３】
前記格点ブロックの外管の上部に設けた仮受部を、中央部及び隣接部との間に開口部が形成されて前記外管の内壁に固定された複数の受板と、該受板の上面及び前記外管の内壁に固定された補強板とによって構成したことを特徴とする請求項１又は２記載の道路等の人工地盤。
【請求項４】
前記鋼管杭の外壁の上部の周方向と、前記格点ブロックの外管の内壁の周方向とに、上下方向にほぼ等しいピッチでそれぞれ複数のシアキーを設けたことを特徴とする請求項１〜３のいずれかに記載の道路等の人工地盤。
【請求項５】
外径が前記鋼管杭の外径より大径で周壁の水平方向に調整手段を備えると共に仕口部が設けられた外管を有し、
前記鋼管杭の上下方向の所定の位置に支持部材を取付け、前記外管を前記鋼管杭に嵌合して前記支持部材に支持させ、前記調整手段により前記外管の芯出しを行うと共に前記鋼管杭に仮固定し、前記鋼管杭と外管との間にモルタル又はコンクリートを充填したことを特徴とする請求項１又は２記載の道路等の人工地盤。
【請求項６】
外径が継杭される下杭及び上杭より大径で、周壁の上下の水平方向に調整手段を備え、上下方向の内側のほぼ中央部に仮受部が設けられた継手管を有し、
該継手管の下部を前記下杭の上部に嵌合して前記仮受部を該下杭の杭頭部に当接させ、前記調節手段により前記継手管の水平方向の位置を調整すると共に、該調節手段により前記継手管を下杭に仮固定し、前記継手管の上部に前記上杭を嵌入してその先端部を前記仮受部に当接させ、前記調節手段により該上杭の水平方向の位置を調整すると共に、該調節手段により前記上杭を継手管に仮固定し、前記下杭、上杭と継手管との間及び前記仮受部にモルタル又はコンクリートを充填してなる継杭を鋼管杭として使用したことを特徴とする請求項１〜５のいずれかに記載の道路等の人工地盤。
【請求項７】
前記継手管の周壁に仕口部を設けたことを特徴とする請求項６記載の道路等の人口地盤。
【請求項８】
前記請求項１〜７のいずれかによって地盤に打設された鋼管杭に取付けた格点ブロックの仕口部材及び該仕口部材に接合された桁部材の上に床版を施工したことを特徴とする道路等の人工地盤の構築方法。
【請求項９】
地盤に鋼管杭を打設する工程と、
前記鋼管杭の頭部に格点ブロックを嵌合して該格点ブロックの芯出しを行ったのち前記鋼管杭に仮固定する工程と、
前記鋼管杭と格点ブロックとの間にモルタル又はコンクリートを充填する工程と、
前記隣接する鋼管杭の格点ブロックに桁部材を接合して連結する工程と、
前記桁部材の上に覆工版を敷設して該覆工版の上にクレーンを配置する工程と、
前記各工程の一部を前記クレーンを使用して実行し、所定範囲の工事が終了したときは前記クレーン及び覆工版を撤去する工程と、
前記桁部材の上に床版を施工する工程とを有することを特徴とする道路等の人工地盤の構築方法。
【請求項１０】
前記鋼管杭と格点ブロックとの間にモルタル又はコンクリートを充填する工程を省略し、前記クレーン及び覆工版を撤去したのちに各鋼管杭と格点ブロックとの間にモルタル又はコンクリートを充填することを特徴とする請求項９記載の道路等の人工地盤の構築方法。
【発明の詳細な説明】
【技術分野】
【０００１】
本発明は、道路、駐車場、公園等（以下、道路等という）の人工地盤及びその構築方法に係り、より詳しくは、例えば、山間部などの道路構築において、道路に必要な傾斜、幅員を、地形と直接関係なく確保することのできる道路等の人工地盤及びその構築方法に関するものである。
【背景技術】
【０００２】
例えば、山間部や谷間などに道路を建設する場合には、道路計画線形に応じて道路の勾配や幅員が決められ、斜面がある場合には切土あるいは盛土を施して道路地盤が構築される。しかし、急傾斜地では盛土高さが高く不経済であり、地盤条件が悪い斜面では道路建設箇所の斜面の安定性が悪くなるため、経時変化により落石や土砂崩れなどが発生するおそれがあった。また、施工中に既設道路の通行を確保する必要がある場合は、従来工法による施工は困難であるという問題もあった。
【０００３】
そのため、道路等を構築する山間部の斜面に複数の鋼管杭を打設し、隣接する鋼管杭の杭頭部に主桁と横桁を連結し、その上に床版を敷設する工法が行われているが、鋼管杭の施工誤差が大きい（例えば、設計値に対して１００ｍｍ程度の誤差（芯ずれ）を生じることがある）ため、あらかじめ製作した桁部材では施工が困難であった。
【０００４】
このような問題を解決するために、地盤に打設した鋼管杭と、この鋼管杭と同じ外径の管の上部に鋼管杭より大径のプレートが結合され、鋼管杭の杭頭部に溶接接合される杭頭ブロックと、鋼管杭と同じ外径の複数の鋼管を連結部材で結合し、その脚部が杭頭ブロックの上に載置、結合される格点桁と、この格点桁を相互に接続する連結桁とによって道路用人工地盤を構築するようにした発明がある（例えば、特許文献１参照）。
【０００５】
また、基礎杭を打設後、この基礎杭の外径以上で基礎杭の施工誤差を吸収できる直径を有し、基礎杭の外径以上の長さを有するソケットの鋼管と鋼製の梁部材との連結部材とからなるソケット部材を基礎杭の頭部に被せ、基礎杭とソケット部材の鋼管との間にコンクリートを充填することにより基礎杭と梁の接合部を構築し、梁部材の上に床板を固定して傾斜面等に人工地盤を構築するようにした発明がある（例えば、特許文献２参照）。
【先行技術文献】
【特許文献】
【０００６】
【特許文献１】特開２０００−２８２４０３号公報（第２−３頁、図１、図４）
【特許文献２】特開２０００−２５７００６号公報（第３−４頁、図５−図７）
【発明の概要】
【発明が解決しようとする課題】
【０００７】
特許文献１の発明によれば、鋼管杭の施工誤差の補正が容易なので、線形が複雑な道路にも適応することができ、コストダウンと工期短縮を実現できるが、杭頭ブロックは現場において高所で鋼管杭に溶接接合することが必要であり、溶接品質の確保のため高度の技量を有する溶接技能者が必要である。
【０００８】
また、特許文献２の発明においては、足場や支保工を省力することができて施工の簡略化、工期の短縮を実現できるとしているが、基礎杭の施工誤差をソケット部材を水平方向に移動させて補正する場合、重量の大きいソケット部材を水平方向に移動させて微調整する作業がきわめて困難である。
【０００９】
また、ソケット部材は基礎杭上に載置されているだけなので、基礎杭とソケット部材の鋼管との間にモルタル等を充填する際に、基礎杭と鋼管との相対位置が変化することがあり、さらに、この相対位置の変化がモルタル充填後２４時間以内に発生した場合は、モルタルの強度が低下するおそれがある。
【００１０】
さらに、基礎杭の杭頭部に被せたソケット部材は、ソケットの鋼管の上端部に設けたダイアフラムだけで基礎杭上に保持されているため強度が低く、モルタル又はコンクリート充填前の時点でソケット部材や鋼製梁の上に大きな荷重（例えば、クレーン車を載置する）がかかると、ソケット部材が破壊されてしまうおそれがある。
【００１１】
本発明は、上記の課題を解決するためになされたもので、鋼管杭の上部に設けた格点ブロックによる鋼管杭の芯ずれの調整が容易で、鋼管杭と格点ブロックとの間にモルタル又はコンクリートを充填する際に両者が相対移動するおそれがなく、その上現場における溶接作業が不要で施工が容易な道路等の人工地盤及びその構築方法を提供することを目的としたものである。
【課題を解決するための手段】
【００１２】
（１）本発明に係る道路等の人工地盤は、地盤に打設される鋼管杭と、外径が前記鋼管杭の外径より大径で周壁の水平方向に調整手段を備え、上部内側に仮受部が設けられた外管、及び該外管の上部外周に取り付けられた仕口部材からなる格点ブロックとを有し、該格点ブロックを前記鋼管杭の上部に嵌合して前記仮受部を該鋼管杭の杭頭部に当接させ、前記調整手段により前記格点ブロックの水平方向の位置を調整すると共に、該調整手段により前記格点ブロックを鋼管杭に仮固定して、該鋼管杭と前記格点ブロックの外管との間にモルタル又はコンクリートを充填し、前記格点ブロックの仕口部材に桁部材を接合して相互に連結するようにしたものである。
【００１３】
（２）上記の道路等の人工地盤において、前記格点ブロックの外管に設けた調整手段を、前記外管の周壁の上下において周方向にほぼ等間隔に設けた複数のボルト挿通穴と、該ボルト挿通穴の内壁側に固定されたナットと、前記ボルト挿通穴に挿通されてナットに螺入される仮固定ボルトとによって構成した。
【００１４】
（３）また、上記いずれかの道路等の人工地盤において、前記格点ブロックの外管の上部に設けた仮受部を、中央部及び隣接部との間に開口部が形成されて前記外管の内壁に固定された複数の受板と、該受板の上面及び前記外管の内壁に固定された補強板とによって構成した。
【００１５】
（４）また、上記いずれかの道路等の人工地盤において、前記鋼管杭の外壁の上部の周方向と、前記格点ブロックの外管の内壁の周方向とに、上下方向にほぼ等しいピッチでそれぞれ複数のシアキーを設けた。
【００１６】
（５）また、上記（１）又は（２）の道路等の人工地盤において、外径が前記鋼管杭の外径より大径で周壁の水平方向に調整手段を備えると共に仕口部が設けられた外管を有し、前記鋼管杭の上下方向の所定の位置に支持部材を取付け、前記外管を前記鋼管杭に嵌合して前記支持部材に支持させ、前記調整手段により前記外管の芯出しを行うと共に前記鋼管杭に仮固定し、前記鋼管杭と外管との間にモルタル又はコンクリートを充填したものである。
【００１７】
（６）また、上記いずれかの道路等の人工地盤において、外径が継杭される下杭及び上杭より大径で、周壁の上下の水平方向に調整手段を備え、上下方向の内側のほぼ中央部に仮受部が設けられた継手管を有し、該継手管の下部を前記下杭の上部に嵌合して前記仮受部を該下杭の杭頭部に当接させ、前記調節手段により前記継手管の水平方向の位置を調整すると共に、該調節手段により前記継手管を下杭に仮固定し、前記継手管の上部に前記上杭を嵌入してその先端部を前記仮受部に当接させ、前記調節手段により該上杭の水平方向の位置を調整すると共に、該調節手段により前記上杭を継手管に仮固定し、前記下杭、上杭と継手管との間及び前記仮受部にモルタル又はコンクリートを充填してなる継杭を鋼管杭として使用した。
（７）上記継手管の周壁に仕口部を設けた。
【００１８】
（８）本発明に係る道路等の人工地盤の構築方法は、前記いずれかによって地盤に打設された鋼管杭に取付けた格点ブロックの仕口部材及び該仕口部材に接合された桁部材の上に床版を施工したものである。
【００１９】
（９）また、本発明に係る道路等の人工地盤の構築方法は、地盤に鋼管杭を打設する工程と、前記鋼管杭の頭部に格点ブロックを嵌合して該格点ブロックの芯出しを行ったのち前記鋼管杭に仮固定する工程と、前記鋼管杭と格点ブロックとの間にモルタル又はコンクリートを充填する工程と、前記隣接する鋼管杭の格点ブロックに桁部材を接合して連結する工程と、前記桁部材の上に覆工版を敷設して該覆工版の上にクレーンを配置する工程と、前記各工程の一部を前記クレーンを使用して実行し、所定範囲の工事が終了したときは前記クレーン及び覆工版を撤去する工程と、前記桁部材の上に床版を施工する工程とを有するものである。
【００２０】
（１０）また、上記の道路等の人工地盤の構築方法において、前記鋼管杭と格点ブロックとの間にモルタル又はコンクリートを充填する工程を省略し、前記クレーン及び覆工版を撤去したのちに各鋼管杭と格点ブロックとの間にモルタル又はコンクリートを充填するようにしたものである。
【発明の効果】
【００２１】
本発明によれば、施工誤差による鋼管杭の芯ずれの調整が容易かつ確実で、鋼管杭と格点ブロックとの間にモルタル又はコンクリートを充填する際に両者が相対移動するおそれがなく、その上施工現場における溶接作業が不要で施工が容易な道路等の人工地盤及びその構築方法を得ることができる。
【図面の簡単な説明】
【００２２】
【図１】本発明の実施の形態１に係る道路等の人工地盤を構築するための鋼管杭に格点ブロックを取付けた状態を示す模式的説明図である。
【図２】図１の分解図及び格点ブロックの平面図である。
【図３】人工地盤の構築手順の一例の説明図である。
【図４】図３に続く構築手順の一例の説明図である。
【図５】図４に続く構築手順の一例の説明図である。
【図６】図５に続く構築手順の一例の説明図である。
【図７】図６のＡ−Ａ断面図である。
【図８】図６の他の例の説明図である。
【図９】図６に続く人工地盤の構築手順の一例の説明図である。
【図１０】図９に続く人工地盤の構築手順の一例の説明図である。
【図１１】人工地盤の構築手順の他の例を示す説明図である。
【図１２】実施の形態１の人工地盤による道路の完成状態を示す説明図である。
【図１３】本発明の実施の形態２に係る道路等の人工地盤の構築方法の説明図である。
【図１４】図１３に続く構築方法の説明図である。
【図１５】本発明の実施の形態４に係る道路等の構築方法に使用する鋼管杭に仕口部を有する外管を取付けた状態を示す説明図である。
【図１６】本発明の実施の形態５に係る外管を利用した継杭の説明図である。
【図１７】本発明の実施の形態５に係る外管を利用した継杭の説明図である。
【図１８】本発明の実施の形態６に係る継杭に仕口部を有する外管を取付けた状態を示す説明図である。
【発明を実施するための形態】
【００２３】
［実施の形態１］
図１は本発明の実施の形態１に係る道路等の人工地盤を構築するための、鋼管杭に格点ブロックを取付けた状態を示す模式的説明図、図２は図１の分解図及び格点ブロックの平面図である。
両図において、１は基礎杭である鋼管杭で、杭頭部の近傍の外壁には、工場等において、上下方向に所定のピッチで複数のリング状のシアキー２が溶接接合されている。実施例では、鋼管杭１の外径Ｄｐは５００ｍｍ、シアキー２の外径は９ｍｍで、上下方向に約２００ｍｍのピッチで４本設けた。
なお、図にはシアキー２を４段設けた場合を示したが、大型車交通による鉛直耐力、地震による水平耐力を確保する上では２段以上であれば良い。また、参考として、山間部の道路の拡幅に用いる人工地盤で杭間隔を６ｍ程度とした場合、常時、施工時、地震時など想定しうる荷重組合せを全て考慮して設計すれば、一般的にはシアキー２は３段で充分であることを付記しておく。
【００２４】
１０はその外径Ｄｓが鋼管杭１の外径Ｄｐより大径（例えば、Ｄｐ＋２００〜３００ｍｍ）の外管１１と、その上部外周に設けた仕口部材２０とからなる格点ブロックで、外管１１の内壁には、鋼管杭１のシアキー２と同じ外径の複数のリング状のシアキー２が、ほぼ同じピッチで溶接接合されている。実施例では、外管１１の外径Ｄｓは８００ｍｍ、板厚ｔは１６ｍｍであり、後述のモルタル又はコンクリートの充填部分Ｌの長さは１１００ｍｍであった。
この場合、モルタル又はコンクリートと接触する鋼管杭外側、外管内側の表面状態は問わない。すなわち、地際から突出している部分の杭に発生する直応力は軸力成分よりも曲げ成分が卓越すること、その曲げに対する二重管構造の抵抗機構は、モルタルまたはコンクリートが鋼管を支圧するいわゆる曲げ支圧の影響が支配的であること、鋼材の表面状態が耐力に及ぼす影響の定量的な評価は実用上難しいことを考慮すると、設計時にモルタルまたはコンクリートと鋼材表面との間の付着効果を考慮しない前提でシアキーの必要段数を決定すれば、鋼材の表面状態の程度は特に限定しなくてよい。
【００２５】
また、外管１１の上端部から下方（例えば、シアキー１２のピッチとほぼ同程度の深さ位置）の内壁面の水平方向には、鋼板からなるほぼ台形状の４枚の受板１４が、中央部及び隣接する受板１４の間に開口部ｈを介して溶接接合されており、これら受板１４と外管１１の内壁面との間には、外管１１の上端部に達する高さで十字状の補強板１５が溶接接合されている。以下の説明では、これら受板１４及び補強板１５を合わせて、仮受部１３という。
【００２６】
１６は外管１１の周壁の上部（仮受部１３の下方）及び下部の水平方向に、それぞれほぼ９０°間隔で設けられた仮固定ボルト１８の挿通穴（以下、ボルト挿通穴という）で、その内壁面側にはナット１７が溶接接合されている。なお、ボルト挿通穴１６は、水平方向にほぼ等間隔で３か所に設けてもよい。なお、実施例では、ボルト・ナットのサイズはＭ３６、仮固定ボルト１８は全ねじボルトであり、最大の芯ずれ１００ｍｍに対応すべく、首下長さを２５０ｍｍとした。
【００２７】
また、外管１１の上部外壁には、その上端部から下方にかけて、ほぼ９０°間隔で上下のフランジ２２ａ，２２ｂとウエブ２３とからなる仕口部２１ａ，２１ｂ，２１ｃ，２１ｄ（以下、単に２１と記すことがある）が設けられた仕口部材２０が溶接接合されている。なお、仕口部材２０にほぼ９０°間隔で４つの仕口部２１を設けた場合を示したが、仕口部２１の数及び方向は、設置場所の状況などにより適宜変更することができる。また、外管１１に設けられたボルト挿通穴１６は、仕口部２１のウエブ２３と干渉しない位置に設けられる。
上記のような格点ブロック１０は、あらかじめ工場等で製造され、構築現場に輸送される。
【００２８】
２５は外管１１の下端部において鋼管杭１に着脱可能に取付けられたグラウトシールで、鋼管杭１の外周面と外管１１の内周面との間に形成されたすき間を閉塞する。
【００２９】
次に、図３〜図１０により本実施の形態に係る道路等の人工地盤の構築手順の一例について説明する。
先ず、図３に示すように、現地において鋼管杭１を地盤Ｇの所定位置に打設する（この場合、鋼管杭１の打設方法は問わない）。ついで、鋼管杭１の杭頭部標高が設計で想定した値になるように、杭頭部をカットする。
次に、図４に示すように、格点ブロック１０をクレーンで吊上げて、地盤Ｇに打設した鋼管杭１の上部にその外管１１を嵌合する。
【００３０】
そして、図５に示すように、外管１１の仮受部１３を鋼管杭１の杭頭部に当接させる。これにより、格点ブロック１０は鋼管杭１に支持され、格点ブロック１０の鉛直方向の位置が固定される。このとき、鋼管杭１の外周面と外管１１の内周面との間には、片側で平均１００ｍｍ程度のすき間が形成される。
【００３１】
前述のように、地盤Ｇに打設した鋼管杭１は、施工誤差によりその中心Ｏ１の位置が設計上の値（中心Ｏ）に対して、一般に、水平方向に最大で±１００ｍｍ程度の芯ずれを生じることがあり、そのため、主桁や横桁を所定の位置に設置できないことがある。
【００３２】
本実施の形態においては、図５〜図７に示すように、外管１１に設けた各ボルト挿通穴１６に仮固定ボルト１８を挿通してナット１７に螺入し、その先端部を鋼管杭１に当接させてそれぞれ螺入量を調整し、格点ブロック１０を水平方向に移動させて、その中心Ｏを設計上の中心と整合させる。
【００３３】
これにより、格点ブロック１０は、仮固定ボルト１８により、水平方向の位置が調整される（芯出し）と共に、鋼管杭１の鉛直方向に沿って保持され、鋼管杭１に仮固定される。
なお、格点ブロック１０の位置調整及び仮固定のために、仮固定ボルト１８をナット１７に螺入して鋼管杭１の外壁を押圧する際、鋼管杭１に損傷を与えるおそれがある場合は、あらかじめ鋼管杭１の板厚を厚くしておくか、又は図８に示すように、鋼管杭１の仮固定ボルト１８が当る位置に、鋼材からなる補強バンド１９を設けてもよい。
【００３４】
次に、後工程において、鋼管杭１と外管１１との間に充填するモルタル又はコンクリートの漏れを防止するため、格点ブロック１０の下端部において、鋼管杭１にグラウトシール２５を取付けて鋼管杭１と外管１１との間のすき間を封止し、また、各ボルト挿通穴１６にコーキングを施す。
【００３５】
ついで、図９に示すように、格点ブロック１０の仮受部１３の間に形成された開口部ｈから、鋼管杭１と外管１１との間にホース３０を差し込んで、両者の間に鋼管杭１の杭頭部の天端に達するまでモルタル又はコンクリート３１を充填し、充填が終ったらホース３０を取り出す。このとき、モルタル又はコンクリート３１の充填状況は、仮受部１３の開口部ｈから目視で確認することができる。また、鋼管杭１の外周壁及び外管１１の内周壁にはそれぞれ複数のシアキー２，１２が設けられているので、充填したモルタル又はコンクリート３１は強固に付着する。
なお上記の例では、ホース３０を差し込んでモルタル又はコンクリート３１を充填することとしたが、接続部材の下側に孔を設けてそこからモルタル又はコンクリート３１を圧入しても良い。その場合には、ボルト挿通穴１６の一部、グラウトシール２５の一部、あるいは外管１１に専用孔を設けて実施する。これでも、充填状況は開口部ｈから目視で確認できる。
【００３６】
本実施の形態においては、格点ブロック１０は、上下２段にそれぞれ設けた複数本の仮固定ボルト１８により鋼管杭１に仮固定されているので、モルタル又はコンクリート３１の充填により鉛直方向や水平方向に変位することはない。モルタル又はコンクリート３１が固化したのち、グラウトシール２５を取り外す。
以上により、地盤Ｇに打設された鋼管杭１への格点ブロック１０の取り付けが終了する。
【００３７】
上記のようにして、地盤Ｇの所定の位置に設置された複数本の鋼管杭１にそれぞれ格点ブロック１０が取り付けられたときは、各格点ブロック１０の外管１１の上部開口部に養生用の蓋２６を取付ける（図１０）。そして、隣接する鋼管杭１の格点ブロック１０の間に、主桁及び横桁（以下、両者を合わせて桁部材と記すことがある）を接合して連結する。
【００３８】
すなわち、図１０に示すように、格点ブロック１０の仕口部材２０に設けた仕口部２１の端部に主桁４０の端部を突き合わせ、両者のウエブ２３，４２の両面に添接板４５を当接して、高力摩擦ボルト・ナット４７で固定すると共に、上下のフランジ２２ａと４１ａ、２２ｂと４１ｂの上下面に添接板４６を当接して、高力摩擦ボルト・ナット４７で固定する。なお、図示してないが、横桁も同様にして仕口部材２０の仕口部２１に接合する。
【００３９】
この場合、部材の運搬などに問題がない場合は、図１１に示すように、あらかじめ２つの格点ブロック１０ａ，１０ｂと橋軸直角方向の横桁４８とを工場あるいは現場で接合して一体化したのちに、地盤Ｇに埋設された２本の鋼管杭１ａ，１ｂに前述の要領で取付けるようにしてもよい。
【００４０】
このようにして、鋼管杭１（格点ブロック１０）に接合した主桁４０及び横桁４８の上に、図１２に示すように、床版５０を設置してその上に舗装を施せば、傾斜地において人工地盤からなる道路が完成する。
【００４１】
上記のように構成した本実施の形態によれば、鋼管杭１への格点ブロック１０の取り付けにあたっては溶接作業を一切必要としないため、取付作業が容易で品質管理も簡単なので、コストを低減することができる。
【００４２】
また、施工誤差による鋼管杭１の芯ずれを、格点ブロック１０の外管１１に設けた複数の仮固定ボルト１８により、格点ブロック１０を水平方向に移動させて芯出しを行うようにしたので、調整作業がきわめて容易かつ確実である。
また、仮固定ボルト１８により格点ブロック１０を鋼管杭１に仮固定するようにしたので、鋼管杭１と外管１１との間にモルタル又はコンクリート３１を充填する際に、両者が相対移動することがない。
【００４３】
さらに、格点ブロック１０の外管１１の上部に強度の大きい仮受部１３を設け、格点ブロック１０をこの仮受部１３を介して鋼管杭１に支持させるようにしたので、格点ブロック１０やこれに接合した桁部材の上に、例えばクレーンの如き重量物が乗っても、格点ブロック１０が破損することがない。
【００４４】
［実施の形態２］
図１３、図１４は本発明の実施の形態２に係る道路等の人工地盤の構築方法の説明図である。
本実施の形態は、格点ブロック１０が取付けられて地盤Ｇの所定の位置に設置された複数本の鋼管杭１に主桁４０及び横桁４８を接合し、その上に覆工版５５を敷設してクレーン車５６（以下、単にクレーンと記すことがある）等が走行しうるようにしたものである。
【００４５】
そして、図１３（ａ）に示すように、クレーン５６により格点ブロック１０を吊り上げ、図１３（ｂ）に示すように、橋軸方向の前面側に打設された鋼管杭１ｂに格点ブロック１０を嵌合し、前述の要領で仮固定ボルト１８により芯出しを行い、鋼管杭１ｂに仮固定する。
次に、図１３（ｃ）に示すように、例えばクレーン車５６の横方向に位置するアジテータトラック５７及びコンクリートポンプ車５８により、ホース３０から鋼管杭１ｂと格点ブロック１０の外管１１との間にモルタル又はコンクリート３１を充填する（図１３（ｃ）にはクレーン車５６は省略してある）。なお、橋軸直角方向の幅が広い場合などにおいては、覆工版５５の上に杭打ち桟を搭載してもよい。
【００４６】
モルタル３１が固化すると、図１４（ｄ）に示すように、クレーン５６により主桁４０を吊り上げて、既設の鋼管杭１ａと新設の鋼管杭１ｂの格点ブロック１０ａ，１０ｂに接合する。そして、図１４（ｅ）に示すように、新らしく接合した主桁４０の上に覆工版５５を敷設し、クレーン車５６を前進させる。このようにして、順次鋼管杭１、格点ブロック１０、主桁４０及び覆工版５５を設置する。なお、図示してないが、橋軸直角方向に設置した鋼管杭１の格点ブロック１０にも、同様に横桁４８を接合する。
【００４７】
これらの部材の所定位置への設置が終了したときは、覆工版５５を取り外して桁部材の上に床版５０を施工し、舗装する。
本実施の形態によれば、所定の位置に設置した鋼管杭１及び桁部材の上に覆工版５５を敷設し、その上にクレーン車５６等を走行させて構築作業を行うようにしたので、仮設構台を設けることなく工事を安全かつ確実に行うことができる。
【００４８】
［実施の形態３］
実施の形態２においては、地盤Ｇに打設した鋼管杭１に格点ブロック１０を取付けると、その都度鋼管杭１と外管１１との間にモルタル又はコンクリート３１を充填し、モルタル又はコンクリート３１が固化したのち桁部材を取付ける場合を示したが、本実施の形態においては、鋼管杭１と格点ブロック１０との間にその都度モルタル又はコンクリート３１を充填せず、所定範囲にすべての鋼管杭１が設置されたのち、それぞれ鋼管杭１と外管１１との間にモルタル又はコンクリート３１を充填するようにしたものである。
【００４９】
すなわち、地盤Ｇの所定の位置に鋼管杭１を打設して格点ブロック１０を取付け、芯出しを行ったのち仮固定ボルト１８で仮固定するが、この時点ではモルタル又はコンクリート３１を充填しない。そして、上記の要領でそれぞれ格点ブロック１０が取付けられた複数本の鋼管杭１が橋軸方向及び橋軸直角方向に設置されたときは、前述の要領で桁部材を接合し、その上に覆工版５５を敷設する。
【００５０】
そして、覆工版５５の上にクレーン車５６を設置し、前述の要領で順次鋼管杭１を打設して格点ブロック１０を取付け、桁部材を接合して覆工版５５を敷設する。ただし、いずれもモルタル又はコンクリート３１を充填しない。
所定範囲の工事が終ったときは、クレーン車５６に代えて覆工版５５上にアジテータトラック５７及びコンクリートポンプ車５８を配置し、前進又は後退させて順次覆工版５５を取外し、覆工版５５を取外した鋼管杭１と外管１１との間にモルタル又はコンクリート３１を充填する。モルタル又はコンクリートが固化したときは、桁部材上に床版５０を施工する。
【００５１】
本実施の形態によれば、地盤Ｇに設置した複数の鋼管杭１と格点ブロック１０との間に、その都度モルタル又はコンクリート３１を充填せず、所定範囲に格点ブロック１０が取付けられたすべての鋼管杭１が設置されたのち、モルタル又はコンクリート３１を充填するようにしたので、工事の施工手順が簡略化されてコストを低減することができ、その上工期を短縮することができる。
【００５２】
［実施の形態４］
図１５は本発明の実施の形態４に係る道路等の人工地盤に使用する鋼管杭の要部の説明図である。
本実施の形態は、例えば実施の形態１の鋼管杭１において、地表と格点ブロック１０との間に水平材などを接合したい場合、鋼管杭１に直接水平材などを接合することは好ましくないので、実施の形態１の格点ブロック１０の外管１１を利用して、水平材などを接合するようにしたものである。
【００５３】
本実施の形態は、実施の形態１における外管１１の仮受部１３及び仕口部材２０を省略して円筒状の外管１１ａを形成し、この外管１１ａの外壁にこれと直交して溶接等により仕口部２１を設けたものである。なお、実施の形態１の場合と同様に、外管１１ａの内壁にはシアキー１２が設けられており、また、周壁にはボルト挿通穴１６、ナット１７が設けられ、これに螺入する仮固定ボルト１８を備えている。
【００５４】
次に、上記のような外管１１ａの鋼管杭１への装着手順の一例について説明する。
先ず、鋼管杭１の上下方向の所定の位置に、支持部材であるグラウトシール２５を取付け、ついで、鋼管杭１の上方から外管１１ａを嵌合してグラウトシール２５で支持させる。そして、仮固定ボルト１８で芯出しを行って仮固定し、鋼管杭１と外管１１ａとの間にモルタル又はコンクリート３１を充填する。なお、鋼管杭１の外周にもシアキー２を設けてもよい。
そして、仕口部２１に、破線で示すように水平材４９などを突き合わせ、添接板や高力摩擦ボルトに用いて一体的に接合する。
【００５５】
上記の鋼管杭１への外管１１ａの装着手順はその一例を示すもので、例えば、外管１１ａを鋼管杭１の下方から挿入してその下端部にグラウトシール２５を取付ける等、他の手順によってもよい。
【００５６】
本実施の形態によれば、鋼管杭１に仕口部２１を有する外管１１ａを装着して芯出し及び仮固定を行い、鋼管杭１と外管１１ａとの間にモルタル又はコンクリート３１を充填し、外管１１ａに設けた仕口部２１に水平材４９などを接合するようにしたので、鋼管杭１に直接加工することなく、簡単な構造で所定の位置に水平材４９などを接合することができる。
【００５７】
［実施の形態５］
図１６、図１７は本発明の実施の形態５に係る道路等の人工地盤に使用する鋼管杭の説明図である。
図１２（ａ）に示すように、山間部等の傾斜面に人工地盤を構築する場合、橋軸直角方向の断面に着目すると、長い鋼管杭１０１と短かい鋼管杭１０２とを設置しなければならない。しかし、一般に、鋼管杭は輸送上その長さが１２〜１５ｍ程度に制限されており、これより長い鋼管杭を必要とする場合は、継杭しなければならない。
本実施の形態は、このような場合、実施の形態１に係る外管１１を利用して継杭を行うようにしたものである。
【００５８】
すなわち、本実施の形態においては、実施の形態１の外管１１を利用して継手管１１ｂとし、仮受部１３の上方をその下方と同程度の長さに延設して、実施の形態１の外管１１のほぼ２倍程度の長さに形成したものである。そして、そのほぼ中間部に仮受部１３を設け、その上部にも下部と同様にシアキー１２、ボルト挿通穴１６及びナット１７を設けたものである。この場合、実施の形態１の外管１１の上端部に、上記の上部と同様に構成した外管を溶接接合して構成してもよい。
【００５９】
本実施の形態により下鋼管杭１０１ａ（以下、下杭という）に、上鋼管杭１０１ｂ（以下、上杭という）を継ぎ足す場合は、先ず、図１６に示すように、下杭１０１ａの上部に継手管１１ｂの下部を嵌合してその仮受部１３を杭頭部に当接させる。そして、仮固定ボルト１８により芯出しを行って仮固定し、下部にグラウトシール２５を取付けて、下杭１０１ａと継手管１１ｂとの間にモルタル又はコンクリート３１を充填する。
【００６０】
次に、図１７に示すように、継手管１１ａの上部に上杭１０１ｂを嵌入してその先端部を仮受部１３上に載置し、仮固定ボルト１８により上杭１０１ｂが下杭１０１ａと同一鉛直線上に位置するように芯出しを行い仮固定する。そして、仮受部１３及び上杭１０１ｂと継手管１１ｂとの間にモルタル又はコンクリート３１を充填する。
これにより、下杭１０１ａと上杭１０１ｂが継手管１１ｂを介して一体に接合され、長尺の鋼管杭１０１となる。
【００６１】
この場合、構造物の骨組となる継杭１０１（鋼管杭）に、例えば水平材などの部材を接合したい場合がある。このような場合は、図１６、図１７に破線で示すように、継手管１１ｂの外周に仕口部２１を設け、この仕口部２１に水平材４９などを接合すればよい。
【００６２】
上記の説明では、下杭１０１ａと継手管１１ｂとの間にモルタル又はコンクリート３１を充填し、次に上杭１０１ｂを継手管１１ｂの上部に嵌入して両者の間にモルタル又はコンクリート３１を充填する場合を示したが、下杭１０１ａに継手管１１ｂを嵌合して仮固定ボルト１８により芯出し及び仮固定を行い、ついで、継手管１１ｂの上部に上杭１０１ｂを嵌入して芯出し及び仮固定を行ったのち、継手管１１ｂの上部から、下杭１０１ａと継手管１１ｂの間、仮受部１３及び上杭１０１ｂと継手管１１ｂとの間にモルタル又はコンクリート３１を充填してもよい。
【００６３】
本実施の形態によれば、継手管１１ｂにより下杭１０１ａと上杭１０１ｂが正確かつ強固に接合されて、長尺の鋼管杭１０１を得ることができる。
【００６４】
［実施の形態６］
図１８は本発明の実施の形態６に係る道路等の人工地盤に使用する鋼管杭の要部の説明図である。
実施の形態５においては、下杭１０１ａと上杭１０１ｂを接合する継手管１１ｂに仕口部２１を設け、この仕口部２１に水平材４９などを接合する場合を示したが、水平材４９などの接合位置が、例えば継杭１０１の地表と継手管１１ｂとの間、あるいは継手管１１ｂと格点ブロック１０との間など、継手管１１ｂと異なる位置に接合したい場合がある。
【００６５】
本実施の形態は、このような場合に対処するため、図１８に示すように、下杭１０１ａ又は上杭１０１ｂ（図には、上杭１０１ｂの場合が示してある）の所定の位置に、実施の形態４に係る仕口部２１を有する外管１１ａを装着し、この外管１１ａに設けた仕口部２１に水平材４９などを接合するようにしたものである。なお、継杭１０１（下杭１０１ａ又は上杭１０１ｂ）への外管１１ａの装着手順は、実施の形態４の場合とほぼ同様なので、説明を省略する。
本実施の形態によれば、実施の形態４の場合とほぼ同様の効果を得ることができる。
【符号の説明】
【００６６】
１  鋼管杭、２，１２  シアキー、１０  格点ブロック、１１，１１ａ  外管、１１ｂ  継手管、１３  仮受部、１４  受板、１５  補強板、１６  ボルト挿通穴、１７  ナット、１８  仮固定ボルト、１９  補強バンド、２０  仕口部材、２１  仕口部、２５  グラウトシール、３０  ホース、４０  主桁、４８  横桁、４９  水平材、５０  床版、５５  覆工版、５６  クレーン、１０１ａ  下杭、１０１ｂ  上杭、Ｇ  地盤。
【図１】
2011117274.tif 000003
【図２】
2011117274.tif 000004
【図３】
2011117274.tif 000005
【図４】
2011117274.tif 000006
【図５】
2011117274.tif 000007
【図６】
2011117274.tif 000008
【図７】
2011117274.tif 000009
【図８】
2011117274.tif 000010
【図９】
2011117274.tif 000011
【図１０】
2011117274.tif 000012
【図１１】
2011117274.tif 000013
【図１２】
2011117274.tif 000014
【図１３】
2011117274.tif 000015
【図１４】
2011117274.tif 000016
【図１５】
2011117274.tif 000017
【図１６】
2011117274.tif 000018
【図１７】
2011117274.tif 000019
【図１８】
2011117274.tif 000020